【手続補正書】
【提出日】平成24年8月9日(2012.8.9)
【手続補正１】
【補正対象書類名】特許請求の範囲
【補正対象項目名】全文
【補正方法】変更
【補正の内容】
【特許請求の範囲】
【請求項１】
モータと、
前記モータを収容するハウジングと、
前記ハウジングの前端部に設けられる吸塵口と、
前記ハウジングに設けられるループ型のハンドル部と、
前記ハウジングに設けられるバッテリ取り付け部と、
前記ハウジングに設けられ、前記バッテリ取り付け部の前側に設けられた排気口と、
前記バッテリ取り付け部に取り付け可能であって、電動工具との間で共通化されたカートリッジ式のリチウムイオンバッテリと、を有するクリーナであって、
前記バッテリの取り付け部の左右には、一対の案内レール部が設けられており、
前記案内レール部の間には、第１の端子が設けられており、
前記リチウムイオンバッテリには、前記案内レール部と係脱可能な係合突部が一体的に設けられており、
前記係合突部の間には、前記第１の端子と接続可能な第２の端子が設けられていることを特徴とするクリーナ。
【請求項２】
請求項１に記載のクリーナであって、前記リチウムイオンバッテリには、係合爪と、前記係合爪を操作可能な操作部材と、が設けられており、前記バッテリ取り付け部には、前記係合爪と係合可能な係合凹部が設けられていることを特徴とするクリーナ。
【請求項３】
請求項２に記載のクリーナであって、前記リチウムイオンバッテリは、前記案内レール部に対して、前記案内レール部の一端側から他端側へとスライド可能となっており、前記係合凹部は、前記案内レール部の一端側に近接し、前記案内レール部の他端側に離間して、設けられていることを特徴とするクリーナ。
【請求項４】
請求項２に記載のクリーナであって、前記バッテリ取り付け部に前記リチウムイオンバッテリが取り付けられた状態において、前記操作部材は、前記案内レール部の一端側が近接しており、前記案内レール部の他端部側が離間していることを特徴とするクリーナ。
【請求項５】
モータと、
前記モータを収容するハウジングと、
前記ハウジングの前端部に設けられる吸塵口と、
前記ハウジングに設けられるループ型のハンドル部と、
前記ハウジングに設けられ、電動工具との間で共通化されたカートリッジ式のリチウムイオンバッテリを取り付け可能なバッテリ取り付け部と、
前記ハウジングに設けられ、前記バッテリ取り付け部の前側に設けられた排気口と、を有するクリーナであって、
前記バッテリ取り付け部の左右には、一対の案内レール部が設けられており、
前記案内レール部の間には、電動工具との間で共通化されたカートリッジ式のリチウムイオンバッテリの第２の端子と接続可能な第１の端子が設けられており、
前記バッテリ取り付け部には、電動工具との間で共通化されたカートリッジ式のリチウムイオンバッテリの係合爪と係合可能な係合凹部が設けられていることを特徴とするクリーナ。
【請求項６】
請求項５に記載のクリーナであって、リチウムイオンバッテリを、前記案内レール部に対して、前記案内レール部の一端側から他端側へとスライド可能となっており、前記係合凹部は、前記案内レール部の一端側に近接し、前記案内レール部の他端側に離間して、設けられていることを特徴とするクリーナ。
【請求項７】
請求項１乃至６に記載のクリーナであって、前記ハンドル部の後端に対して、前記案内レール部の一端側が近接しており、前記案内レール部の他端部側が離間していることを特徴とするクリーナ。
【請求項８】
請求項５乃至７の何れか１項に記載のクリーナであって、リチウムイオンバッテリには、操作部材が設けられており、前記バッテリ取り付け部に前記リチウムイオンバッテリが取り付けられた状態において、前記操作部材は、前記案内レール部の一端側が近接しており、前記案内レール部の他端側が離間していることを特徴とするクリーナ。
【請求項９】
請求項１乃至８の何れか１項に記載のクリーナであって、前記ハンドル部の後部には、ストラップを取り付け可能に構成されることを特徴とするクリーナ。
【請求項１０】
モータと、
前記モータを収容するハウジングと、
前記ハウジングの前端部に設けられる吸塵口と、
前記ハウジングに設けられるループ型のハンドル部と、
前記ハンドル部の下面側に設けられるバッテリ取り付け部と、
前記ハウジングに設けられ、前記バッテリ取り付け部の前側に設けられた排気口と、
前記バッテリ取り付け部に取り付け可能であって、電動工具との間で共通化されたカートリッジ式のリチウムイオンバッテリと、を有するクリーナであって、
前記バッテリ取り付け部の左右には、一対の案内レール部が設けられており、
前記案内レール部の間には、第１の端子が設けられており、
前記リチウムイオンバッテリには、前記案内レール部と係脱可能な係合突部が一体的に設けられており、
前記係合突部の間には、前記接続端子と接続可能な第２の端子が設けられていることを特徴とするクリーナ。
【請求項１１】
請求項１０に記載のクリーナであって、前記リチウムイオンバッテリには係合爪と、前記係合爪を操作可能な操作部材と、が設けられており、前記バッテリ取り付け部には、前記係合爪と係合可能な係合凹部が設けられていることを特徴とするクリーナ。
【請求項１２】
請求項１０又１１に記載のクリーナであって、前記リチウムイオンバッテリは、前記案内レール部に対して、前記案内レール部の後部から前部へとスライド可能となっており、前記係合凹部は、前記案内レール部の後部側に近接し、前記案内レール部の前部側に離間して設けられていることを特徴とするクリーナ。
【請求項１３】
請求項１２に記載のクリーナであって、前記バッテリ取り付け部に前記リチウムイオンバッテリが取り付けられた状態において、前記操作部材は、前記案内レール部の後部側が近接しており、前記案内レール部の前部側が離間していることを特徴とするクリーナ。
【請求項１４】
モータと、
前記モータを収容するハウジングと、
前記ハウジングの前端部に設けられる吸塵口と、
前記ハウジングに設けられ、ループ型のハンドル部と、
前記ハウジングに設けられ、電動工具との間で共通化されたカートリッジ式のリチウムイオンバッテリを取り付け可能なバッテリ取り付け部と、
前記バッテリ取り付け部の前側に設けられた排気口と、を有するクリーナであって、
前記バッテリ取り付け部の左右には、一対の案内レール部が設けられており、
前記案内レール部の間には、電動工具との間で共通化されたカートリッジ式のリチウムイオンバッテリの端子と接続可能な第１の端子が設けられており、
前記バッテリ取り付け部には、電動工具との間で共通化されたカートリッジ式のリチウムイオンバッテリの係合爪と係合可能な係合凹部が設けられていることを特徴とするクリーナ。
【請求項１５】
請求項１４に記載のクリーナであって、リチウムイオンバッテリを、前記案内レール部に対して、前記案内レール部の後部側から前部側へとスライド可能となっており、前記係合凹部は、前記案内レール部の後部側に近接し、前記案内レール部の前部側に離間して設けられていることを特徴とするクリーナ。
【請求項１６】
請求項１４又は１５に記載のクリーナであって、前記ハンドル部の後端に対して、前記案内レール部の後部側が近接しており、前記案内レール部の前部側が離間していることを特徴とするクリーナ。
【請求項１７】
請求項１４乃至１６の何れか１項に記載のクリーナであって、リチウムイオンバッテリには操作部材が設けられており、前記バッテリ取り付け部に前記リチウムイオンバッテリが取り付けられた状態において、前記操作部材は、前記案内レール部の後部側が近接しており、前記案内レール部の前部側が離間していることを特徴とするクリーナ。
【請求項１８】
請求項１乃至１７の何れか１項に記載のクリーナであって、前記ループ型のハンドル部は前後方向に延びることを特徴とするクリーナ。
【請求項１９】
請求項１０乃至１８の何れか１項に記載のクリーナであって、前記バッテリ取り付け部の上方には、ストラップが固定されていることを特徴とするクリーナ。
【請求項２０】
請求項１０乃至１９の何れか１項に記載のクリーナであって、前記一対の案内レール部は、第１の案内レールと、第２の案内レールとを有し、前記第１の案内レールは、前記第１の端子と近接する方向に延び、前記第２の案内レールは、前記第１の端子と近接する方向に延びることを特徴とするクリーナ。
【手続補正２】
【補正対象書類名】明細書
【補正対象項目名】０００５
【補正方法】変更
【補正の内容】
【０００５】
このため、本発明は、以下に記す構成のハンディクリーナとした。
先ず第１の発明は、手に持って使用するハンディクリーナであって、カートリッジ式のリチウムイオンバッテリを電源として備えることを特徴とする。
上記第１の発明によれば、バッテリパックの装着形態について従来の内部組み込み式ではなくカートリッジ式であるので蓋の開閉操作を必要としないことから、当該バッテリパックのクリーナ本体に対する取り付け、取り外し操作を簡単に行うことができる。
また、バッテリパックをカートリッジ式とすることにより、当該バッテリパックを他形式のハンディクリーナ若しくは電動工具と共通化（汎用電源化）しやすくなる。
第２の発明は、第１の発明において、前記バッテリパックは、クリーナ本体に対して係脱する爪部と、該爪部を離脱側に操作するための取り外しボタンを備えることを特徴とする。
上記第２の発明によれば、クリーナ本体に対して確実に取り付けることができ、かつ取り外しボタンの簡単な操作で取り外すことができ、この点で当該バッテリパックの取り扱い性を一層高めることができる。
第３の発明は、第１又は第２の発明において、クリーナ本体の後部に使用者が把持するハンドル部を備え、該ハンドル部の下部に沿って前記バッテリパックを取り付けることを特徴とする。
上記第３の発明によれば、比較的重量の大きなバッテリパックをハンドル部の下側に沿って取り付けることにより、使用者が受ける当該バッテリパックの重量感を低減することができ、この点で当該ハンディクリーナの使い勝手を高めることができる。
第４の発明は、第３の発明において、前記ハンドル部の下部に案内レール部を備え、該案内レール部に対して前記バッテリパックを前方にスライドさせて取り付け可能、後方へスライドさせて取り外し可能なことを特徴とする。
上記第４の発明によれば、バッテリパックを簡単なスライド操作によりクリーナ本体に取り付け、取り外しすることができ、この点で当該ハンディクリーナの使い勝手を高めることができる。
第５の発明は、第４の発明において、前記バッテリパックを取り付けた状態において該バッテリパックの前部と前記クリーナ本体との間に使用者が指先を差し入れ可能なことを特徴とする。
上記第５の発明によれば、特別な滑り止め手段を用いることなくバッテリパックの取り外しを簡単に行うことができるようになる。